(57)【特許請求の範囲】
【請求項１】
第１の電極と、
前記第１の電極とは異なる極性の第２の電極と、
前記第１の電極と前記第２の電極とをセパレータを介在させて交互に積層して層状をなす電極組立体と、を備え、
前記セパレータは、前記第１の電極の一面を覆う第１シート部と他面を覆う第２シート部とを有しており、前記第１シート部の外面と前記第２シート部の内面とが粘着テープで接着される接着部を有することを特徴とする蓄電装置。
【請求項２】
前記第１の電極には、一端から突出するように集電タブが設けられており、
前記接着部は、前記集電タブが突出する一端側に位置している請求項１に記載の蓄電装置。
【請求項３】
前記集電タブは、前記第１シート部及び前記第２シート部とともに前記粘着テープで接着される請求項２に記載の蓄電装置。
【請求項４】
前記セパレータは、前記第１シート部と前記第２シート部とが折り返し部で連接している請求項１〜請求項３のうち何れか一項に記載の蓄電装置。
【請求項５】
前記第１シート部は、前記第２シート部に対して、前記折り返し部をなす辺から対辺までの長さが短く、
前記接着部は、前記第１シート部の前記対辺に沿って位置している請求項４に記載の蓄電装置。
【請求項６】
前記第１の電極は、正極用金属箔に正極活物質を塗布した正極活物質層を有する正極電極であり、
前記第２の電極は、負極用金属箔に負極活物質を塗布した負極活物質層を有する負極電極であり、
前記正極電極における前記正極活物質の塗布領域は、前記負極電極における前記負極活物質の塗布領域に比して小さい請求項１〜請求項５のうち何れか一項に記載の蓄電装置。
【請求項７】
前記セパレータは、セラミックでコーティングされている請求項１〜請求項６のうち何れか一項に記載の蓄電装置。
【請求項８】
前記蓄電装置は、二次電池である請求項１〜請求項７のうち何れか一項に記載の蓄電装置。
【発明の詳細な説明】
【技術分野】
【０００１】
本発明は、極性が異なる第１の電極と第２の電極とを、セパレータを介在させて交互に積層して層状をなす電極組立体を有する蓄電装置に関する。
【背景技術】
【０００２】
ＥＶ（Electric Vehicle）やＰＨＶ（Plug in Hybrid Vehicle）などの車両には、原動機となる電動機への供給電力を蓄える蓄電装置としてリチウムイオン電池などの二次電池が搭載されている。この種の二次電池は、例えば、特許文献１に開示されている。二次電池は、金属箔に負極活物質を塗布した負極電極と金属箔に正極活物質を塗布した正極電極との間を微多孔性フィルムからなるセパレータで絶縁し、層状に積層した電極組立体を有する。そして、特許文献１には、負極電極又は正極電極を２枚のセパレータで挟み、２枚のセパレータの周囲を接着剤又は粘着テープで接着する技術が開示されている。
【先行技術文献】
【特許文献】
【０００３】
【特許文献１】特開２００８−１３０３６０号公報
【発明の概要】
【発明が解決しようとする課題】
【０００４】
特許文献１は、電極を２枚のセパレータで挟み、セパレータの周囲を接着する構成であるため、電極をセパレータで挟む前に一方のセパレータの周囲部分に接着剤又は粘着テープを予め接着させておく必要がある。つまり、粘着テープの場合には、両面に粘着面を有する両面テープが用いられる。そして、特許文献１では、接着剤又は粘着テープを予め接着させたセパレータに対して他のセパレータを重ね合わせることになるので、電極をセパレータで挟み込むための作業性が良いとは言い難い。したがって、二次電池の生産性を低下させる虞がある。
【０００５】
この発明は、このような従来の技術に存在する問題点に着目してなされたものであり、その目的は、生産性を向上し得る蓄電装置を提供することにある。
【課題を解決するための手段】
【０００６】
上記問題点を解決するために、請求項１に記載の発明は、第１の電極と、前記第１の電極とは異なる極性の第２の電極と、前記第１の電極と前記第２の電極とをセパレータを介在させて交互に積層して層状をなす電極組立体と、を備え、前記セパレータは、前記第１の電極の一面を覆う第１シート部と他面を覆う第２シート部とを有しており、前記第１シート部の外面と前記第２シート部の内面とが粘着テープで接着される接着部を有することを要旨とする。
【０００７】
これによれば、第１の電極は、セパレータにおける第１シート部の外面と第２シート部の内面とが粘着テープで接着されることによって挟み込まれた状態となる。つまり、第１の電極とセパレータを纏める際には、第１シート部の外面と第２シート部の内面とに跨がって粘着テープを貼り付ければ良く、作業性が良い。そして、電極組立体を製造する際には、第１の電極とセパレータを纏めた状態で扱うことができる。このため、第１の電極と、第２の電極と、セパレータとを積層する積層工程を簡略化できる。したがって、蓄電装置の生産性を向上させることができる。
【０００８】
請求項２に記載の発明は、請求項１に記載の蓄電装置において、前記第１の電極には、一端から突出するように集電タブが設けられており、前記接着部は、前記集電タブが突出する一端側に位置していることを要旨とする。これによれば、集電タブを収容する空間に接着部を収容できて省スペースとなる。
【０００９】
請求項３に記載の発明は、請求項２に記載の蓄電装置において、前記集電タブは、前記第１シート部及び前記第２シート部とともに前記粘着テープで接着されることを要旨とする。これによれば、集電タブを第１シート部及び第２シート部とともに接着するので、集電タブをセパレータに固定することができる。したがって、電極組立体を製造する際に扱い易くなり、蓄電装置の生産性を向上させることができる。
【００１０】
請求項４に記載の発明は、請求項１〜請求項３のうち何れか一項に記載の蓄電装置において、前記セパレータは、前記第１シート部と前記第２シート部とが折り返し部で連接していることを要旨とする。これによれば、セパレータを折り返すことによって第１の電極を挟み込むので、接着部の数を多くしなくても第１の電極とセパレータを纏めることができ、作業性が良い。
【００１１】
請求項５に記載の発明は、請求項４に記載の蓄電装置において、前記第１シート部は、前記第２シート部に対して、前記折り返し部をなす辺から対辺までの長さが短く、前記接着部は、前記第１シート部の前記対辺に沿って位置していることを要旨とする。これによれば、第１シート部と第２シート部の端がずれており、第１シート部と第２シート部に跨って粘着テープを簡単に貼り付けることができる。したがって、粘着テープを貼り付ける時の作業性が良い。
【００１２】
請求項６に記載の発明は、請求項１〜請求項５のうち何れか一項に記載の蓄電装置において、前記第１の電極は、正極用金属箔に正極活物質を塗布した正極活物質層を有する正極電極であり、前記第２の電極は、負極用金属箔に負極活物質を塗布した負極活物質層を有する負極電極であり、前記正極電極における前記正極活物質の塗布領域は、前記負極電極における前記負極活物質の塗布領域に比して小さいことを要旨とする。
【００１３】
これによれば、活物質の塗布領域が小さい正極電極をセパレータで挟み込むので、負極電極をセパレータで挟み込む場合に比して電極組立体の体格（サイズ）が大型化することを抑制することができる。
【００１４】
請求項７に記載の発明は、請求項１〜請求項６のうち何れか一項に記載の蓄電装置において、前記セパレータは、セラミックでコーティングされていることを要旨とする。これによれば、セラミックでコーティングされたセパレータであっても、電極と容易に纏めることができ、作業性が良い。
【００１５】
請求項８に記載の発明は、請求項１〜請求項７のうち何れか一項に記載の蓄電装置において、前記蓄電装置は、二次電池であることを要旨とする。これによれば、二次電池の生産性を向上させることができる。
【発明の効果】
【００１６】
本発明によれば、生産性を向上させることができる。
【図面の簡単な説明】
【００１７】
【図１】二次電池の外観を示す斜視図。
【図２】（ａ）は正極シートの正面図、（ｂ）は（ａ）の１−１線断面図。
【図３】（ａ）は負極シートの正面図、（ｂ）は（ａ）の２−２線断面図。
【図４】正極シートと、負極シートと、セパレータとを積層した状態を示す模式図。
【図５】（ａ）は第１の実施形態の正極収納シートを示す正面図、（ｂ）は（ａ）の３−３線断面図。
【図６】第１の実施形態のセパレータに正極シートを重ね合わせる様子を示す斜視図。
【図７】（ａ）はセパレータを折り返す様子を示す斜視図、（ｂ）は折り返し後のセパレータを示す正面図。
【図８】第２の実施形態の正極収納シートを示す正面図。
【図９】第２の実施形態のセパレータに正極シートを重ね合わせる様子を示す斜視図。
【図１０】（ａ）は第３の実施形態の正極収納シートを示す正面図、（ｂ）は（ａ）の４−４線断面図。
【図１１】第３の実施形態のセパレータに正極シートを重ね合わせる様子を示す斜視図。
【発明を実施するための形態】
【００１８】
（第１の実施形態）
以下、本発明を具体化した第１の実施形態を図１〜図７にしたがって説明する。
図１に示すように、蓄電装置としての二次電池１０は、電槽缶１１に電極組立体１２が収容されている。電槽缶１１は、直方体状の本体部材１３と、矩形平板状の蓋部材１４とからなる。蓋部材１４は、本体部材１３に電極組立体１２を挿入する挿入口を閉塞する。電槽缶１１を構成する本体部材１３と蓋部材１４は、何れも金属製（例えば、ステンレスやアルミニウム）である。また、本実施形態の二次電池１０は、その外観が角型をなす角型電池である。また、本実施形態の二次電池１０は、リチウムイオン電池である。
【００１９】
電極組立体１２には、当該電極組立体１２から電気を取り出すための正極端子１５と負極端子１６が電気的に接続されている。そして、正極端子１５及び負極端子１６には、電槽缶１１から絶縁するためのリング状の絶縁リング１７ａがそれぞれ取り付けられている。
【００２０】
電極組立体１２は、第１の電極としての正極シート１８と、第２の電極としての負極シート１９と、正極シート１８と負極シート１９の間を絶縁するセパレータ２０と、を有する。そして、電極組立体１２は、複数枚の正極シート１８と複数枚の負極シート１９との間にセパレータ２０を介在させて交互に積層して構成される。すなわち、電極組立体１２には、正極シート１８と、負極シート１９と、セパレータ２０とからなる組が複数組、設けられている。本実施形態のセパレータ２０は、微多孔性フィルムをセラミックでコーティングしたセラミックセパレータである。
【００２１】
図２（ａ），（ｂ）に示すように、正極シート１８は、正極用金属箔（本実施形態ではアルミニウム箔）２１と、その両面に正極活物質を塗布してなる正極活物質層２２を有する。また、正極活物質が塗布されていない正極用金属箔２１は、非塗工部２３を構成する。そして、正極シート１８の一端としての縁部１８ａには、正極用金属箔２１からなる正極集電タブ２４が突出するように設けられている。正極集電タブ２４は、非塗工部２３の一部である。また、正極集電タブ２４は、正極端子１５と電気的に接続される。正極集電タブ２４は、電極組立体１２を構成する各正極シート１８において同位置に同一形状で形成されている。
【００２２】
図３（ａ），（ｂ）に示すように、負極シート１９は、負極用金属箔（本実施形態では銅箔）２５と、その両面に負極活物質を塗布してなる負極活物質層２６を有する。また、負極活物質が塗布されていない負極用金属箔２５は、非塗工部２７を構成する。そして、負極シート１９の一端としての縁部１９ａには、負極用金属箔２５からなる負極集電タブ２８が突出するように設けられている。負極集電タブ２８は、非塗工部２７の一部である。また、負極集電タブ２８は、負極端子１６と電気的に接続される。負極集電タブ２８は、電極組立体１２を構成する各負極シート１９において同位置に同一形状で形成されている。また、負極集電タブ２８は、正極シート１８と負極シート１９を積層する場合に正極集電タブ２４と重ならない位置に設けられている。
【００２３】
本実施形態では、図４に示すように、正極シート１８は、高さ方向Ｘ及び幅方向Ｙの両長さが、負極シート１９の高さ方向Ｘ及び幅方向Ｙの両長さよりも小さい。高さ方向Ｘは、正極シート１８の正極集電タブ２４、及び負極シート１９の負極集電タブ２８の突出方向に沿う方向である。一方、幅方向Ｙは、高さ方向Ｘに直交する方向、すなわち正極集電タブ２４及び負極集電タブ２８の突出方向に直交する方向である。また、高さ方向Ｘ及び幅方向Ｙは、正極シート１８及び負極シート１９の積層方向に直交する方向である。
【００２４】
高さ方向Ｘの長さは、正極シート１８においては正極集電タブ２４を除く領域の長さである。また、高さ方向Ｘの長さは、負極シート１９においては負極集電タブ２８を除く領域の長さである。そして、セパレータ２０は、その高さ方向Ｘ及び幅方向Ｙの両長さが、負極シート１９の高さ方向Ｘ及び幅方向Ｙの両長さと同一長さとなっている。なお、図４では、説明の便宜上、セパレータ２０を図示するために、負極シート１９の輪郭を示す線（実線）の内側に、セパレータ２０の輪郭を示す線（二点鎖線）を並記しているが、実際は重なり合う。
【００２５】
正極シート１８には、高さ方向Ｘ及び幅方向Ｙによって定まる領域内に正極活物質層２２が形成されている。同様に、負極シート１９には、高さ方向Ｘ及び幅方向Ｙによって定まる領域内に負極活物質層２６が形成されている。正極シート１８の正極活物質層２２の領域と、負極シート１９の負極活物質層２６の領域を比較した場合、正極シート１８における正極活物質の塗布領域は、負極シート１９における負極用活物質の塗布領域に比して小さい。そして、電極組立体１２においては、正極シート１８の正極活物質層２２と負極シート１９の負極活物質層２６とが積層方向に重なる領域が活物質層の対向部２９とされる。対向部２９は、電池の化学反応に寄与する部位となる。
【００２６】
そして、本実施形態の電極組立体１２は、正極シート１８をセパレータ２０で挟み込んで収納した正極収納シート３０（図５に示す）と、負極シート１９を交互に積層して構成される。電極組立体１２を製造する際、正極シート１８とセパレータ２０を正極収納シート３０としてユニット化しておくことで、正極シート１８、負極シート１９及びセパレータ２０の積層工程を簡略化でき、電極組立体１２の製造効率を向上し得る。なお、正極シート１８、負極シート１９及びセパレータ２０をそれぞれ独立した１枚のシートとした場合は、正極シート１８、セパレータ２０、負極シート１９、セパレータ２０を順に積層する４工程が必要となる。また、正極シート１８にセパレータ２０を積層する時と、セパレータ２０に負極シート１９を積層する時のそれぞれにおいて位置合わせを行う必要がある。一方、正極収納シート３０を使用する場合は、正極収納シート３０に負極シート１９を積層すれば、正極シート１８と負極シート１９の間にセパレータ２０を介在させることができるので、積層工程は２工程となり、独立したシートを積層する場合に比して工程数が減少する。また、正極収納シート３０に負極シート１９を積層する時に位置合わせを行えば良い。電極組立体１２は、例えば、５０枚や６０枚というように多数の正極シート１８と負極シート１９を積層することから、積層工程の工程数を削減することは電極組立体１２の生産性の向上に大きく寄与し得る。
【００２７】
以下、本実施形態の正極収納シート３０について、図５〜図７にしたがって詳しく説明する。
図５（ａ），（ｂ）に示すように、セパレータ２０は、正極シート１８の一面を覆う第１シート部としての第１シート面３２と、正極シート１８の他面を覆う第２シート部としての第２シート面３３とを有し、第１シート面３２と第２シート面３３は折り返し部３１で連接している。第１シート面３２の内面３２ｂと第２シート面３３の内面３３ｂは、正極シート１８に面している。第１シート面３２の外面３２ｃと第２シート面３３の外面３３ｃは、正極シート１８に面していない。
【００２８】
図５（ａ）及び図６に示すように、第１シート面３２における、折り返し部３１をなす辺３１ａから対辺３２ａまでの長さＨ１は、第２シート面３３における、辺３１ａから対辺３３ａまでの長さＨ２に比して短くなっている。これにより、第１シート面３２と第２シート面３３を重ねた際に、第１シート面３２と第２シート面３３の端（対辺３２ａ、対辺３３ａ）がずれることになる。これらの長さＨ１，Ｈ２は、セパレータ２０に正極シート１８を収容した状態において、正極シート１８の高さ方向Ｘ、すなわち正極集電タブ２４の突出方向に沿う方向の長さである。辺３１ａの長さＨ３は、正極シート１８の幅方向Ｙに沿う方向の長さである。この長さＨ３は、対辺３２ａと対辺３３ａとの間において同一長さとなる。
【００２９】
図５（ａ）に示すように、粘着テープ３４は、第１シート面３２の対辺３２ａに沿って、対辺３２ａを跨いで貼り付けられている。対辺３２ａに沿った、第１シート面３２の外面３２ｃ（内面３２ｂの裏面）の一部と第２シート面３３の内面３３ｂの一部とが粘着テープ３４に接着される接着部としての接着領域３７となる。なお、接着領域３７は、正極シート１８において正極集電タブ２４が突出形成された縁部１８ａ側に位置しており、対辺３２ａから突出している正極集電タブ２４は、粘着テープ３４によって第１シート面３２、第２シート面３３と共に接着されている。これにより、正極シート１８は、セパレータ２０に固定され、正極シート１８の位置ずれが抑制される。
【００３０】
なお、長さＨ１は接着領域３７が正極シート１８の正極活物質層２２と重ならないように設定されており、長さＨ２は接着領域３７が第２シート面３３の内面３３ｂに収まるように設定されている。
【００３１】
正極収納シート３０は、図５〜図７に示す手順にしたがって作製される。最初に、図６に示すように、平面視四角形のシート状態であるセパレータ２０に正極シート１８を重ね合わせる。次に、図７（ａ）に示すように、正極シート１８をセパレータ２０で挟み込むように、セパレータ２０を折り返し部３１で折り返す。これにより、正極シート１８は、図７（ｂ）に示すように、セパレータ２０によって挟み込まれる。
【００３２】
その後、図５（ａ）に示すように、正極シート１８を挟んで対向する第１シート面３２と第２シート面３３とを対辺３２ａに沿って粘着テープ３４で接着することにより、正極収納シート３０が完成する。
【００３３】
以下、本実施形態の作用を説明する。
電極組立体１２は、正極シート１８を収納した正極収納シート３０と負極シート１９を交互に積層して構成される。正極収納シート３０は、１枚のセパレータ２０を折り返すことで正極シート１８を挟み込み、第１シート面３２と第２シート面３３とを粘着テープ３４で接着して作製される。そして、本実施形態では、セパレータ２０を折り返した時に異形となる第１シート面３２と第２シート面３３で正極シート１８を挟み込むので、第１シート面３２と第２シート面３３の接着が容易となる。具体的には、第１シート面３２と第２シート面３３の接着は、第２シート面３３の内面３３ｂと、その内面３３ｂに隣接する第１シート面３２の外面３２ｃとを跨ぐように粘着テープ３４を貼り付ければ良い。このため、正極収納シート３０の作製が容易である。
【００３４】
そして、このように作製した正極収納シート３０を用いて電極組立体１２を製造することで、正極シート１８、負極シート１９及びセパレータ２０の積層工程が簡素化され、電極組立体１２の製造効率を向上し得る。その結果、二次電池１０の生産性を向上し得る。
【００３５】
したがって、本実施形態によれば、以下に示す効果を得ることができる。
（１）正極シート１８は、セパレータ２０における第１シート面３２の外面３２ｃと第２シート面３３の内面３３ｂとが粘着テープ３４で接着されることによって挟み込まれた状態となる。つまり、正極シート１８とセパレータ２０を纏めて正極収納シート３０とする際には、第１シート面３２の外面３２ｃと第２シート面３３の内面３３ｂとを跨がせるように粘着テープ３４を貼り付ければ良く、作業性が良い。そして、電極組立体１２を製造する際には、正極シート１８とセパレータ２０を纏めた状態で扱うことができる。このため、正極シート１８と、負極シート１９と、セパレータ２０とを積層する積層工程を簡略化できる。したがって、二次電池１０の生産性を向上させることができる。
【００３６】
（２）接着領域３７を正極集電タブ２４が突出形成された正極シート１８の縁部１８ａ側に形成している。このため、正極集電タブ２４を収容する空間に接着領域３７（粘着テープ３４）を収容できて省スペースとなる。
【００３７】
（３）正極集電タブ２４を、第１シート面３２及び第２シート面３３とともに接着している。これにより、正極集電タブ２４をセパレータ２０に固定することができる。したがって、電極組立体１２を製造する際に扱い易くなり、二次電池１０の生産性を向上させることができる。
【００３８】
（４）接着領域３７を正極シート１８の縁部１８ａ側に形成し、正極集電タブ２４を粘着テープ３４で覆うことで、正極集電タブ２４と負極シート１９の短絡を防止することができる。
【００３９】
（５）１枚のセパレータ２０を折り返すことで正極シート１８を挟み込んでいる。このため、接着領域３７の数を多くしなくても正極シート１８とセパレータ２０を纏めることができる。例えば、一対のセパレータ２０で正極シート１８を挟み込む場合は、正極シート１８とセパレータ２０をしっかり固定するために接着領域３７を増やした方が良いが、作業性が低下してしまう。
【００４０】
（６）第１シート面３２と第２シート面３３を重ねた際に、第１シート面３２と第２シート面３３の端（対辺３２ａ、対辺３３ａ）がずれていることによって接着領域３７が形成される。このため、第１シート面３２と第２シート面３３に跨って粘着テープ３４を簡単に貼り付けることができる。したがって、粘着テープ３４を貼り付ける時の作業性が良い。
【００４１】
（７）活物質の塗布領域が小さい正極シート１８をセパレータ２０で挟み込むので、負極シート１９をセパレータ２０で挟み込む場合に比して電極組立体１２の体格（サイズ）が大型化することを抑制することができる。
【００４２】
（８）セラミックセパレータを使用する場合であっても、そのセパレータで正極シート１８を挟み込むことができる。セラミックセパレータは、溶着による接合がし難い。しかし、本実施形態のように粘着テープ３４を使って正極収納シート３０を作製すれば、セラミックセパレータであっても容易に正極シート１８を挟み込むことができる。
【００４３】
（第２の実施形態）
次に、本発明を具体化した第２の実施形態を図８及び図９にしたがって説明する。
以下に説明する実施形態では、既に説明した実施形態と同一構成について、同一符号を付すなどして、その重複する説明を省略又は簡略する。
【００４４】
セラミックでコーティングされたセラミックセパレータである本実施形態のセパレータ４０は、図８及び図９に示すように、折り返し部３１で連接する第１シート面３２と、第２シート面３３とを有している。
【００４５】
第１シート面３２において折り返し部３１である辺３１ａから対辺である一方の端部４０ａまでの長さＨ４と、第２シート面３３において辺３１ａから対辺である他方の端部４０ｂまでの長さＨ５とは、同一長さである。端部４０ａには、複数（本実施形態では４つ）の舌片４１が突出形成されている。また、端部４０ｂには、複数（本実施形態では４つ）の舌片４２が突出形成されている。
【００４６】
舌片４１と舌片４２は、何れも端部４０ａ，４０ｂに沿って所定の間隔をあけて平面視四角形状に形成されているととともに、同一の大きさで形成されている。すなわち、舌片４１と舌片４２の突出長さは同一長さに形成されている。端部４０ａ，４０ｂに沿った方向において、各舌片４１，４２の幅は、正極集電タブ２４の幅より小さい。また、舌片４１と舌片４２は、何れもセパレータ４０を切り込むことで形成されている。そして、舌片４１と舌片４２は、セパレータ４０を折り返し部３１で折り返した状態において互い違い（交互）に配置されるように、それぞれの端部４０ａ，４０ｂに形成されている。つまり、セパレータ４０を折り返した状態では、各舌片４１と各舌片４２は重なり合わず、隣接する。
【００４７】
粘着テープ３４は、端部４０ａに沿って、互い違いに配置される舌片４１，４２に跨って貼り付けられている。第１シート面３２の外面３２ｃの一部である舌片４１と第２シート面３３の内面３３ｂの一部である舌片４２とが粘着テープ３４に接着される接着部としての接着領域３７となる。なお、接着領域３７は、正極シート１８において正極集電タブ２４が突出形成された縁部１８ａ側に位置しており、正極集電タブ２４は、粘着テープ３４によって第１シート面３２、第２シート面３３と共に接着される。これにより、正極シート１８は、セパレータ４０に固定され、正極シート１８の位置ずれが抑制される。
【００４８】
そして、本実施形態では、図８に示す正極シート１８を挟み込んで収納した正極収納シート４３が次の手順で作製される。最初に、図９に示すように、平面視ほぼ四角形のシート状のセパレータ４０上に、正極シート１８を重ね合わせる。次に、正極シート１８をセパレータ４０で挟み込むように、セパレータ４０を折り返す。これにより、正極シート１８は、図８に示すように、セパレータ４０によって挟み込まれる。その後、正極シート１８を挟んで対向する第１シート面３２と第２シート面３３とを粘着テープ３４で接着することにより、正極収納シート４３が完成する。
【００４９】
以下、本実施形態の作用を、第１の実施形態における作用と相違する点を中心に説明する。
本実施形態では、セパレータ４０を折り返した時に異形となる第１シート面３２と第２シート面３３で正極シート１８を挟み込むので、第１シート面３２と第２シート面３３の接着が容易となる。すなわち、図８に示すように、セパレータ４０を折り返した際には、舌片４１と舌片４２が互い違いに配置される。このため、第１シート面３２と第２シート面３３の接着は、舌片４１における第１シート面３２の外面３２ｃと、舌片４２における第２シート面３３の内面３３ｂとを跨ぐように粘着テープ３４を貼り付ければ良い。このため、正極収納シート４３の作製が容易である。したがって、本実施形態によれば、第１の実施形態の効果（１）〜（８）と同様の効果を得ることができる。
【００５０】
（第３の実施形態）
次に、本発明を具体化した第３の実施形態を図１０及び図１１にしたがって説明する。
セラミックでコーティングされたセラミックセパレータである本実施形態のセパレータ５０は、図１０（ａ），（ｂ）に示すように、折り返し部３１で連接する第１シート面３２と、第２シート面３３とを有している。第１シート面３２において折り返し部３１である辺３１ａから対辺である一方の端部５０ａまでの長さＨ６と、第２シート面３３において辺３１ａから対辺である他方の端部５０ｂまでの長さＨ７とは、同一長さであり、セパレータ５０を折り返した状態において端部５０ａと端部５０ｂは重なる。第１シート面３２の端部５０ａの近傍には、セパレータ５０を貫通する複数（本実施形態では３つ）の孔部５１が端部５０ａに沿って所定の間隔をあけて形成されている。一方、第２シート面３３には、孔部５１が形成されていない。
【００５１】
また、各孔部５１は、セパレータ５０が正極シート１８を挟み込んだ状態において、正極集電タブ２４を除く正極シート１８の領域に重ならない位置に形成されている。つまり、各孔部５１は、セパレータ５０を折り返した時に、正極集電タブ２４と、第２シート面３３の内面３３ｂ及び正極集電タブ２４に重なる位置に形成されている。粘着テープ３４は、端部５０ａに沿って、孔部５１を覆うように貼り付けられている。第１シート面３２の外面３２ｃの一部と第２シート面３３の内面３３ｂの一部が粘着テープ３４に接着される接着部としての接着領域３７となる。なお、接着領域３７は、正極シート１８において正極集電タブ２４が突出形成された縁部１８ａ側に位置しており、正極集電タブ２４は、粘着テープ３４によって第１シート面３２、第２シート面３３と共に接着される。これにより、正極シート１８は、セパレータ５０に固定され、正極シート１８の位置ずれが抑制される。
【００５２】
そして、本実施形態では、図１０（ａ）に示す正極シート１８を挟み込んで収納した正極収納シート５２が次の手順で作製される。最初に、図１１に示すように、平面視ほぼ四角形のシート状のセパレータ５０上に、正極シート１８を重ね合わせる。次に、正極シート１８をセパレータ５０で挟み込むように、セパレータ５０を折り返す。これにより、正極シート１８は、図１０（ａ）に示すように、セパレータ５０によって挟み込まれる。その後、正極シート１８を挟んで対向する第１シート面３２と第２シート面３３とを粘着テープ３４で接着することにより、正極収納シート５２が完成する。
【００５３】
以下、本実施形態の作用を、第１の実施形態における作用と相違する点を中心に説明する。
本実施形態では、セパレータ５０を折り返した時に異形となる第１シート面３２と第２シート面３３で正極シート１８を挟み込むので、第１シート面３２と第２シート面３３の接着が容易となる。すなわち、図１０（ａ）に示すように、セパレータ５０を折り返した際には、孔部５１が第２シート面３３の内面３３ｂに重なる。このため、第１シート面３２と第２シート面３３の接着は、第１シート面３２の外面３２ｃと、孔部５１に重なった第２シート面３３の内面３３ｂとを跨ぐように粘着テープ３４を貼り付ければ良い。このため、正極収納シート５２の作製が容易である。したがって、本実施形態によれば、第１の実施形態の効果（１）〜（８）と同様の効果を得ることができる。
【００５４】
なお、各実施形態は以下のように変更してもよい。
○  各実施形態において、セパレータ２０，４０，５０は、セラミックがコーティングされていないセパレータでも良い。
【００５５】
○  各実施形態において、セパレータ２０，４０，５０を一対のセパレータによって構成しても良い。つまり、各実施形態のように１枚のセパレータを折り返すのではなく、２枚のセパレータを正極シート１８に重ね合わせた後、接着領域３７に粘着テープ３４を貼り付けて２枚のセパレータを接着しても良い。この別例は、各実施形態で説明した第１シート面３２と第２シート面３３を別々のセパレータで形成し、接着することを要旨とする。
【００５６】
○  各実施形態において、正極集電タブ２４を、第１シート面３２及び第２シート面３３と一緒に接着しなくても良い。
○  各実施形態において、負極シート１９を、各実施形態で説明したセパレータ２０，４０，５０で挟み込んで負極収納シートを形成しても良い。そして、電極組立体１２は、正極シート１８と負極収納シートを積層して構成する。
【００５７】
○  各実施形態において、正極用金属箔２１の片面に正極活物質層２２を形成しても良い。同様に、負極用金属箔２５の片面に負極活物質層２６を形成しても良い。
○  各実施形態の二次電池１０は、車両として自動車に搭載しても良いし、産業用車両に搭載しても良い。また、定置用の蓄電装置に適用しても良い。
【００５８】
○  各実施形態の構成を、電気二重層コンデンサ等の他の蓄電装置に適用しても良い。
○  各実施形態の二次電池１０は、リチウムイオン二次電池であったが、これに限らず、他の二次電池であっても良い。要は、正極活物質層と負極活物質層との間をイオンが移動するとともに電荷の授受を行うものであれば良い。
【００５９】
○  各実施形態において、正極シート１８、負極シート１９及びセパレータ２０，４０，５０の形状を変更しても良い。例えば、正面視正方形に形成しても良い。
○  各実施形態において、セパレータ２０，４０，５０を負極シート１９よりも大きくしても良い。
【００６０】
○  第２の実施形態では、セパレータ４０を折り返した時に舌片４１と舌片４２の間に隙間が形成されているが、当該隙間が形成されないように舌片４１と舌片４２を形成しても良い。この場合は、端部４０ｂに沿った方向において、正極集電タブ２４全体が舌片４１と重ならないように、正極集電タブ２４あるいは舌片４１と舌片４２を配置することで正極集電タブ２４を粘着テープ３４によって第１シート面３２、第２シート面３３と共に接着できる。
【００６１】
○  第２の実施形態において、舌片４１，４２の形状を変更しても良い。すなわち、舌片４１と舌片４２は、セパレータ４０を折り返した時に舌片４１と舌片４２が重ならない領域が形成されれば、その形状は限定されない。
【００６２】
○  第３の実施形態において、孔部５１に代えてセパレータ５０の端部を切り欠いて形成した凹部でも良い。
○  第３の実施形態において、孔部５１は、正極集電タブ２４と重ならない位置に形成しても良い。
【００６３】
次に、上記実施形態及び別例から把握できる技術的思想を以下に追記する。
（イ）シート部の外面は、第２の電極と接する面である一方で、シート部の内面は、第１の電極と接する面である請求項１〜請求項８のうち何れか一項に記載の蓄電装置。
【符号の説明】
【００６４】
１０…二次電池、１２…電極組立体、１８…正極シート、１８ａ…縁部、１９…負極シート、２０，４０，５０…セパレータ、２１…正極用金属箔、２２…正極活物質層、２４…正極集電タブ、２５…負極用金属箔、２６…負極活物質層、３１…折り返し部、３１ａ…辺、３２…第１シート面、３３…第２シート面、３２ａ，３３ａ…対辺、３２ｂ，３３ｂ…内面、３２ｃ，３３ｃ…外面、３４…粘着テープ、３７…接着領域、Ｈ１，Ｈ２…長さ。
【図１】
0005699986.tif 000002
【図２】
0005699986.tif 000003
【図３】
0005699986.tif 000004
【図４】
0005699986.tif 000005
【図５】
0005699986.tif 000006
【図６】
0005699986.tif 000007
【図７】
0005699986.tif 000008
【図８】
0005699986.tif 000009
【図９】
0005699986.tif 000010
【図１０】
0005699986.tif 000011
【図１１】
0005699986.tif 000012